(57)【特許請求の範囲】
【請求項１】
モータと、前記モータの駆動力を所定の出力に変換して出力軸に伝達する駆動機構と、前記モータを制御する制御部と、前記モータ、前記駆動機構及び前記制御部を収容するハウジングと、二次電池を内蔵し、前記ハウジングの底部に着脱可能なバッテリーパックと、前記ハウジングに装着されたフックとを備えた電動工具であって、
前記ハウジングは、底部の側壁に開口が設けられる一方、底面に前記フックをハウジングに固定するためのナットが設けられ、
前記フックは、前記開口からハウジングの内部に挿入されて、当該ハウジングの底部に固定される固定部と、前記ハウジングの外部に突出する引っ掛け部を有し、
前記固定部は、前記ナットに締結されるねじが貫通するねじ穴又はねじ溝を有し、当該ねじを前記ねじ穴又はねじ溝に嵌合させた状態で前記ねじが前記ナットに締結され、それによって、前記フックが前記ハウジングの底部に固定され、
前記バッテリーパックが前記ハウジングの底部に装着された状態において、前記バッテリーパックと前記ねじとが対向していることを特徴とする電動工具。
【請求項２】
前記ねじの長さは、前記ナットと締結されている部分の長さを除いて、前記バッテリーパックが前記ハウジングの底部に装着された状態において、前記バッテリーパックの前記ハウジングの底部に対向する面と、前記ナットの前記バッテリーパックに対向する面との間の距離よりも長いことを特徴とする請求項１に記載の電動工具。
【請求項３】
前記フックは、前記固定部の長手方向が前記駆動機構の出力軸の中心線に対して直交するように、前記ハウジングに装着され、
前記固定部の長手方向に沿って複数の前記ねじ穴が形成され、又は前記ねじ溝の長手方向が前記固定部の長手方向に平行となるように形成されていることを特徴とする請求項１に記載の電動工具。
【請求項４】
前記フックは、前記駆動機構の出力軸の中心線を対称軸として、前記ハウジング上の互いに対象な２つの位置のいずれか一方に選択的に装着可能であり、
前記対称軸に対して対象な前記ハウジングの底部の２つの側壁には、前記フックの固定部が貫通可能な開口が、それぞれ形成されていることを特徴とする請求項１乃至請求項３のいずれか１項に記載の電動工具。
【請求項５】
前記フックのねじ穴又はねじ溝は、前記固定部の幅方向の中心線上に形成され、
前記ナットは、その中心軸が前記対称軸と交差する位置に設けられていることを特徴とする請求項４に記載の電動工具。
【請求項６】
前記フック、前記ねじ及び前記ナットはそれぞれ金属で形成され、
前記ハウジングは、前記対称軸及び前記ナットの中心軸を含む面で２分割され、
前記ナットはフランジ部を有するフランジ付ナットであって、２分割された前記ハウジングの各部分に形成されたリブにより、前記フランジ部が前記中心軸と平行な方向に挟持されていることを特徴とする請求項５に記載の電動工具。
【発明の詳細な説明】
【技術分野】
【０００１】
本発明は、例えば電動ドライバなどの手持ち式電動工具、特にそのフック取り付け構造に関する。
【背景技術】
【０００２】
従来から、電動ドライバなどの手持ち式電動工具には、作業者のベルトや工具置き場の壁面などに一時的に引っ掛けるためのフックが設けられている。フックは、作業者の好みに応じて、ハウジングの左右いずれの側にでも取り付け可能なように、従来の電動工具のフック取り付け構造は、例えば特許文献１に記載されているように、例えばグリップ部の後側下端部において、ハウジングの左右方向にハウジングを貫通するねじ及びそのねじに締結されるナットなどで固定されている。
【０００３】
このフックを用いて電動工具を作業者のベルトなどに引っ掛けると、電動工具の自重によりフックに引っ張り力が加えられる。このフックに係る引っ張り力は、ねじの締め付け方向と一致しているため、その間ねじに対して常に引き抜き力が作用し、ねじが緩みやすくなる。さらに、ねじが緩んだ状態を放置しておくと、最終的にねじがナットから脱落し、電動工具が落下してしまう。
【０００４】
さらに、従来のフック取り付け構造によれば、ねじ又はナットが樹脂成型品であるハウジングと当接するため、ねじの締め付け力によりハウジングが塑性変形し、十分な締め付け力が得られず、ねじが緩みやすい。
【特許文献１】特開２００４−１０６１７０号公報
【発明の開示】
【発明が解決しようとする課題】
【０００５】
本発明は、上記従来例の問題を解決するためになされたものであり、フックを固定するためのねじが緩みにくく、かつ、仮にねじが緩んだとしても、ねじが脱落することが無く、十分なねじの締め付け力が確保でき、さらに、作業者の好みに応じてハウジングの左右いずれの方向にもフックを取り付け可能である電動工具を提供することを目的とする。
【課題を解決するための手段】
【０００６】
上記目的を達成するために請求項１の発明は、モータと、前記モータの駆動力を所定の出力に変換して出力軸に伝達する駆動機構と、前記モータを制御する制御部と、前記モータ、前記駆動機構及び前記制御部を収容するハウジングと、二次電池を内蔵し、前記ハウジングの底部に着脱可能なバッテリーパックと、前記ハウジングに装着されたフックとを備えた電動工具であって、前記ハウジングは、底部の側壁に開口が設けられる一方、底面に前記フックをハウジングに固定するためのナットが設けられ、前記フックは、前記開口からハウジングの内部に挿入されて、当該ハウジングの底部に固定される固定部と、前記ハウジングの外部に突出する引っ掛け部を有し、前記固定部は、前記ナットに締結されるねじが貫通するねじ穴又はねじ溝を有し、当該ねじを前記ねじ穴又はねじ溝に嵌合させた状態で前記ねじが前記ナットに締結され、それによって、前記フックが前記ハウジングの底部に固定され、前記バッテリーパックが前記ハウジングの底部に装着された状態において、前記バッテリーパックと前記ねじとが対向していることを特徴とする。
【０００７】
請求項２の発明は、請求項１に記載の電動工具において、前記ねじの長さは、前記ナットと締結されている部分の長さを除いて、前記バッテリーパックが前記ハウジングの底部に装着された状態において、前記バッテリーパックの前記ハウジングの底部に対向する面と、前記ナットの前記バッテリーパックに対向する面との間の距離よりも長いことを特徴とする。
【０００８】
請求項３の発明は、請求項１に記載の電動工具において、前記フックは、前記固定部の長手方向が前記駆動機構の出力軸の中心線に対して直交するように、前記ハウジングに装着され、前記固定部の長手方向に沿って複数の前記ねじ穴が形成され、又は前記ねじ溝の長手方向が前記固定部の長手方向に平行となるように形成されていることを特徴とする。
【０００９】
請求項４の発明は、請求項１乃至請求項３のいずれか１項に記載の電動工具において、前記フックは、前記駆動機構の出力軸の中心線を対称軸として、前記ハウジング上の互いに対象な２つの位置のいずれか一方に選択的に装着可能であり、前記対称軸に対して対象な前記ハウジングの底部の２つの側壁には、前記フックの固定部が貫通可能な開口が、それぞれ形成されていることを特徴とする。
【００１０】
請求項５の発明は、請求項４に記載の電動工具において、
前記フックのねじ穴又はねじ溝は、前記固定部の幅方向の中心線上に形成され、
前記ナットは、その中心軸が前記対称軸と交差する位置に設けられていることを特徴とする。
【００１１】
請求項６の発明は、請求項５に記載の電動工具において、前記フック、前記ねじ及び前記ナットはそれぞれ金属で形成され、前記ハウジングは、前記対称軸及び前記ナットの中心軸を含む面で２分割され、前記ナットはフランジ部を有するフランジ付ナットであって、２分割された前記ハウジングの各部分に形成されたリブにより、前記フランジ部が前記中心軸と平行な方向に挟持されていることを特徴とする。
【発明の効果】
【００１２】
請求項１の発明によれば、フックの引っ掛け部を作業者のベルトなどに引っ掛けた状態で、電動工具の自重によりフックに引っ張り力が加えられても、フックに係る引っ張り力は、ねじの中心軸（すなわち、ねじの締め付け方向）に対して直交する方向に作用し、ねじ自体には引き抜き力は作用しない。その結果、ねじは緩みにくくなり、ねじがナットから脱落して電動工具が落下する可能性はほとんど無くなる。
【００１３】
請求項２の発明によれば、バッテリーパックが本体に装着されている状態で、仮にねじが緩んだとしても、ねじの頭部がバッテリーパックと干渉してそれ以上緩まなくなる。そのため、ねじが緩んだ状態が放置されたとしても、ねじがナットから脱落することはなく、フックが本体から外れて電動工具が落下してしまうこともない。
【００１４】
請求項３の発明によれば、ねじとねじ穴の組み合わせ又はねじ溝におけるねじの位置を変化させることにより、フックのハウジングからの突出量を、作業者の好みなどに応じて任意に調節することが可能である。
【００１５】
請求項４の発明によれば、１つのフックを、駆動機構の出力軸を中心線として、ハウジングの左右いずれの側にでも取り付け可能である。なお、フックの形状は、その固定部の幅方向の中心線に対して対称形であることが望ましいが、フックの形状は必ずしも対称形に限定されず、また、フックの固定部におけるねじ穴又はねじ溝の位置も特に限定されない。そのため、必要に応じて、ナットを２箇所に設けても良い。
【００１６】
請求項５の発明によれば、フックのねじ穴又はねじ溝を、前記固定部の幅方向の中心線上に形成し、ナットを、その中心軸が本体の対称軸と交差する位置、すなわち、左右方向における中心に設けられているので、１つのナットで、フックを左右いずれの方向にでも装着することができる。この場合も、フックの形状は、その固定部の幅方向の中心線に対して必ずしも対称形である必要はない。
【００１７】
請求項６の発明によれば、ナットをインサート成形せずに固定することができ、ねじの頭部、フックの固定部及びナットを、それぞれ樹脂成形部を介さずに直接金属面同士で接触させることができる。そのため、ねじの頭部、フックの固定部及びナットを弾性変形させることにより、十分なねじの締め付け力が得られる。
【発明を実施するための最良の形態】
【００１８】
本発明に係る電動工具の一実施形態について、図面を参照しつつ説明する。図１は、本発明に係る電動工具の一実施形態として、例えば電動ドライバの全体構成を示す斜視図であり、図２は、その側面図である。また、図３は、バッテリーパックを外した状態における電動工具の構成を示す斜視図である。
【００１９】
電動工具１は、本体１０と、本体１０に着脱可能な二次電池を内蔵したバッテリーパック２０と、本体１０に装着されたフック３０を備えている。本体１０は、例えばモータ及びモータの駆動力を所定の出力に変換（例えば減速）して出力軸１１に伝達する駆動機構が設けられた略円筒形の駆動部１２と、その中心軸が駆動部１２に対して所定の角度（例えば、７０度程度）をなすように形成され、モータを制御する制御部（図示せず）やトリガスイッチ１３が設けられたグリップ部１４と、グリップ部１４に対して駆動部１２とは反対側に設けられたバッテリーパック装着部１５などで構成されている。バッテリーパック装着部１５には、さらに、動作モード切替スイッチ１６などが設けられている。フック３０は、駆動機構の出力軸１１の中心線Ｌを対称軸として、本体１０のハウジング１７上の互いに対象な２つの位置のいずれか一方に選択的に装着可能である。詳細は、後述する。
【００２０】
本体１０の全体、より具体的には、モータ、駆動機構及び制御部などを収容するハウジング１７は、例えば樹脂成型品で形成されており、駆動機構の出力軸１１の中心線Ｌ（対称軸及び後述するナット４０の中心軸Ｃを含む面で主として左右に２分割されるように構成されている（分割線をＶで表す）。図３に示すように、ハウジング１７の底部（バッテリーパック装着部）１５には、バッテリーパック２０が結合され、固定されるための結合構造２１が形成されている。結合構造２１は、ハウジング１７の底面１７ａを囲むように形成された側壁１７ｂと、底面１７ａ、左側壁１７ｂ及び右側壁１７ｃなどに形成され、バッテリーパック２０に設けられた結合用の凹部及び凸部（公知につき図示せず）と結合される凸部２１ａ及び凹部２１ｂと、バッテリーパックに内蔵されている二次電池に端子と電気的に接続される端子２２などを備えている。
【００２１】
さらに、ハウジング１７の底部１５の左右両側壁１７ｂ及び１７ｃの後端近傍には、それぞれ略長方形の開口１８が形成されている。この開口１８を貫通して、後述するフック３０の固定部３１がハウジング１７の内部に挿入される。ハウジング１７の底面１７ａの左右方向の中央部（上記分割線Ｖ上）で、かつ、開口１８を結ぶ線分上には、フック３０をハウジング１７の底部１５に固定するためのナット４０が設けられている。すなわち、ナット４０は、その中心軸が駆動機構の出力軸１１の中心線Ｌ（対称軸）と交差する位置に設けられている。
【００２２】
図４及び図５は、フック取り付け構造の詳細を示す。ナット４０は、金属製のフランジ付ナットであって、２分割されたハウジング１７の左右各部分に形成されたリブ１７ｄにより、フランジ部がナット４０の中心軸と平行な方向に挟持されている。ナット４０の中心軸Ｃは、例えば上記グリップ部１４の中心軸と略平行に設けられている。ナット４０には、金属製のねじ４１が締結され、それによってフック３０がハウジング１７に固定される。図５に示すように、ねじ４１の長さは、ナット４０と締結されている部分の長さを除いて、バッテリーパック２０がハウジング１７の底部１５に装着された状態において、バッテリーパック２０のハウジング１７の底部１５に対向する面２０ａと、ナット４０のバッテリーパック２０に対向する面４０ａとの間の距離Ｄよりも長くなるように設定されている。
【００２３】
図６は、フック３０の具体的な形状を示す。フック３０は、ハウジング１７の底部１５に固定される固定部３１と、ハウジング１７の外部に突出し、少なくとも固定部３１に対して非平行な引っ掛け部３２を有している。図５に示す具体例では、フック３０は、例えば金属板をプレス加工して形成されており、その板厚を無視したと仮定して、固定部３１は略長方形であり、固定部３１の幅方向の中心線Ｓ上には、両端が半円状の細長いねじ溝３１ａを有している。引っ掛け部３２は、ハウジング１７に固定された状態で、ハウジング１７の左右方向に略Ｕ字形状の断面を有すると共に、ハウジング１７の前後方向にも略Ｕ字形状又は略Ｖ字形状を有している。このフック３０は、ハウジング１７の左右いずれの側にも取り付け可能であるため、フック３０の形状は、その固定部の幅方向の中心線Ｓに対して対称形であることが望ましい。
【００２４】
固定部３１が上記ハウジング１７の開口１８からハウジング１７の内部に挿入されると、ねじ溝３１ａの一部がナット４０とオーバーラップする。そして、ねじ４１をねじ溝３１ａに嵌合させ、さらにナット４０に螺合させると、ねじ４１がフック３０の固定部３１を挟んだ状態でナット４０に締結され、それによってフック３０が本体１０に固定されている。その結果、フック３０は、固定部３１の長手方向（中心線Ｓに平行な方向）が駆動機構の出力軸１１の中心線Ｌに対して直交するように、ハウジング１７に装着される。
【００２５】
このように、本実施形態によれば、フック３０の引っ掛け部３２を作業者のベルトなどに引っ掛けた状態で、電動工具１の自重によりフック３０に引っ張り力が加えられても、フック３０に係る引っ張り力は、ねじ４１の中心軸Ｃ（すなわち、ねじの締め付け方向）に対して直交する方向に作用し、ねじ４１自体には引き抜き力は作用しない。その結果、ねじ４１は緩みにくくなる。また、バッテリーパック２０が本体１０（ハウジング１７の底部１５）に装着されている状態で、仮にねじ４１が緩んだとしても、図５に示すように、ねじ４１の頭部がバッテリーパック２０と干渉してそれ以上緩まなくなる。そのため、ねじ４１が緩んだ状態が放置されたとしても、ねじ４１がナット４０から脱落することはなく、フック３０が本体１０から外れて電動工具１が落下してしまうこともない。
【００２６】
また、フック３０、ねじ４１及びナット４０をそれぞれ金属で形成し、ハウジング１７を駆動機構の出力軸１１の中心線Ｌ（対称軸）及びナット４０の中心軸Ｃを含む面で２分割し、ナット４０をフランジ部を有するフランジ付ナットとし、２分割されたハウジング１７の各部分に形成されたリブ１７ｄにより、フランジ部を中心軸Ｃと平行な方向に挟持しているので、ナット４０をインサート成形せずにハウジング１７に固定することができ、ねじ４１の頭部、フック３０の固定部３１及びナット４０を、それぞれ樹脂成形部を介さずに直接金属面同士で接触させることができる。そのため、ねじ４１の頭部、フック３０の固定部３１及びナット４０を弾性変形させることにより、十分なねじの締め付け力が得られる。
【００２７】
なお、上記実施形態では、フック３０の固定部３１の長手方向（中心線Ｓに平行な方向）に平行となるように細長いねじ溝３１ａを形成したが、これに限定されるものではなく、フック３０の固定部３１の長手方向に平行に複数のねじ穴（円形孔）を形成しても良い。それにより、ねじ４１とねじ穴の組み合わせ又はねじ溝３１ａにおけるねじ４１の位置を変化させることにより、フック３０のハウジング１７からの突出量を、作業者の好みなどに応じて任意に調節することが可能である。
【００２８】
また、上記実施形態では、フック３０の形状は必ずしも対称形としたが、これに限定されるものではなく、また、フック３０の固定部３１におけるねじ穴又はねじ溝３１ａの位置も特に限定されない。そのため、必要に応じて、ナット４０を２箇所に設けても良い。
【００２９】
さらに、本発明に係る電動工具１は、電動ドライバに限定されず、インパクトドライバやインパクトレンチなどであっても良い。その場合、駆動機構はモータの駆動力をハンマの打撃力に変換して出力軸１１に伝達する。
【図面の簡単な説明】
【００３０】
【図１】本発明の一実施形態に係る電動工具の構成を示す斜視図。
【図２】上記電動工具の構成を示す側面図。
【図３】バッテリーパックを外した状態の上記電動工具の構成を示す斜視図。
【図４】上記電動工具のフック取り付け構造の詳細を示す部分破断側面図。
【図５】上記フック取り付け構造において、特にねじが緩んだ状態を示す部分破断側面図。
【図６】上記実施形態におけるフックの構成を示す斜視図。
【符号の説明】
【００３１】
１  電動工具
１０  本体
１１  出力軸
１５  ハウジングの底部（バッテリーパック装着部）
１７  ハウジング
１７ａ  （ハウジングの）底面
１７ｂ  （ハウジングの）左側面
１７ｃ  （ハウジングの）右側面
１７ｄ  リブ
１８  開口
２０  バッテリーパック
３０  フック
３１  固定部
３１ａ  ねじ溝
３２  引っ掛け部
４０  ナット
４１  ねじ
Ｌ  出力軸の中心線（対称軸）
Ｓ  固定部の幅方向の中心線
Ｃ  ナットの中心軸
Ｄ  バッテリーパックとナットの対向面間の距離
【図１】
0005007186.tif 000002
【図２】
0005007186.tif 000003
【図３】
0005007186.tif 000004
【図４】
0005007186.tif 000005
【図５】
0005007186.tif 000006
【図６】
0005007186.tif 000007